(57)【要約】【課題】輸送時の包装状態を確実に維持しつつ、店頭での展示作業を簡単に行なうことができるようにする。【解決手段】商品を収納するトレー１と、その外周に被せる外枠２とから成り、トレー１から外枠２を抜き取って商品を展示する包装展示兼用箱において、前記トレー１は、側壁１１及び端壁１２，１３を連設した周壁並びに底壁１５を備え、端壁１３の上端に蓋板１６を連設したものとし、前記外枠２は、側壁２１及び端壁２２，２３を連設した周壁を備え、底面が開口し、周壁の上端に蓋受片２５を連設したものとし、商品包装時には、蓋受片２５を内側へ折り曲げ、その上に蓋板１６を被せて閉じ、商品展示時には、蓋板１６を開いて、トレー１から外枠２を抜き取るようにする。【選択図】図１
2012017127.tif 000002
【特許請求の範囲】
【請求項１】
商品を収納するトレー(1)と、その外周に被せる外枠(2)とから成り、トレー(1)から外枠(2)を抜き取って商品を展示する包装展示兼用箱において、前記トレー(1)は、側壁(11)及び端壁(12,13)を連設した周壁並びに底壁(15)を備え、端壁(13)の上端に蓋板(16)を連設したものとし、前記外枠(2)は、側壁(21)及び端壁(22,23)を連設した周壁を備え、底面が開口し、周壁の上端に蓋受片(25)を連設したものとし、商品包装時には、蓋受片(25)を内側へ折り曲げ、その上に蓋板(16)を被せて閉じ、商品展示時には、蓋板(16)を開いて、トレー(1)から外枠(2)を抜き取るようにしたことを特徴とする包装展示兼用箱。
【請求項２】
前記トレー(1)の外周に外枠(2)を被せた状態で、トレー(1)の蓋板(16)を開いて、トレー(1)の底壁(15)を形成する底板(15a,15b)を上方へ折り曲げることにより、扁平に折り畳めるようにしたことを特徴とする請求項１に記載の包装展示兼用箱。
【請求項３】
前記外枠(2)の上部に封緘片(26)を設け、この封緘片(26)を、トレー(1)の蓋板(16)を有する蓋部材(18)に貼り付け、商品展示時に、蓋部材(18)を封緘片(26)と共に切り取るようにしたことを特徴とする請求項１又は２に記載の包装展示兼用箱。
【発明の詳細な説明】
【技術分野】
【０００１】
この発明は、商品の輸送及び店頭での展示に兼用できる箱に関するものである。
【背景技術】
【０００２】
従来、この種の包装展示兼用箱として、下記特許文献１には、図１０乃至図１４示すように、トレー５１とその外周に被せる外枠５２とから成るものが記載されている。
【０００３】
トレー５１は、端壁６１及び側壁６２並びに底壁６３を備え、正面側の側壁６２を大きく開口させ、その上部に内蓋６４を連設し、端壁６１に切目線を入れて、貼着片部６５を形成し、内蓋６４に切目線を入れて、切板部６６を設けたものとされている。
【０００４】
前記外枠５２は、端壁７１及び側壁７２を備え、底面が開口し、端壁７１及び側壁７２の上端に蓋板７３，７４をそれぞれ連設し、端壁７１に切目線を入れて、切開部７５及びその先端の貼着片部７６を形成したものとされている。
【０００５】
この箱では、図１１に示すように、商品Ｐの包装に際し、トレー５１に商品Ｐを収納して、内蓋６４を閉じ、トレー５１の外周に外枠５２を被せて、トレー５１の端壁６１及び側壁６２の外面に外枠５２の端壁７１及び側壁７２の内面をそれぞれ沿わせ、貼着片部６５，７６を接着剤で接着し、外枠５２の蓋板７３，７４を閉じて、図１２に示すように、粘着テープ５３等で封緘する。
【０００６】
また、この箱を小売店へ配送し、店頭で商品を展示する際には、図１３に示すように、貼着片部６５が接着されたままの状態で、貼着片７６を外側へ引き出し、切開部７５を切り開くことにより、トレー５１と外枠５２とを分離する。
【０００７】
そして、トレー５１に商品Ｐを載せたまま、トレー５１から外枠５２を上方へ引き抜いて、図１４に示すように、トレー５１の内蓋６４から切板部６６を切り取り、トレー５１を天面から正面にかけて開放すると共に、切板部６６を広告板として天面の後部に起立させ、訴求性を高めるようにして商品Ｐを展示する。
【先行技術文献】
【特許文献】
【０００８】
【特許文献１】登録実用新案第３１５１３５５号公報
【発明の概要】
【発明が解決しようとする課題】
【０００９】
しかしながら、上記のような包装展示兼用箱では、トレー５１に外枠５２を被せる際、摺接する貼着片部６５，７６を接着剤で貼り合わせるのが難しく、このとき接着剤が他の部分に摺り広げられて、その後固化し、商品展示時に、トレー５１から外枠５２を引き抜くのが困難になったり、トレー５１の側面が捲れたりするおそれがある。
【００１０】
また、貼着片部６５，７６の接着力が十分でない場合、商品の輸送に際して、外枠５２を抱持して持ち運ぶと、トレー５１の荷重等により、接着部が剥離して、外枠５２からトレー５１が抜け落ちるおそれがある。
【００１１】
そこで、この発明は、輸送時の包装状態を確実に維持しつつ、店頭での展示作業を簡単に行なうことができるようにすることを課題とする。
【課題を解決するための手段】
【００１２】
上記課題を解決するため、この発明は、商品を収納するトレーと、その外周に被せる外枠とから成り、トレーから外枠を抜き取って商品を展示する包装展示兼用箱において、前記トレーは、側壁及び端壁を連設した周壁並びに底壁を備え、端壁の上端に蓋板を連設したものとし、前記外枠は、側壁及び端壁を連設した周壁を備え、底面が開口し、周壁の上端に蓋受片を連設したものとし、商品包装時には、蓋受片を内側へ折り曲げ、その上に蓋板を被せて閉じ、商品展示時には、蓋板を開いて、トレーから外枠を抜き取るようにしたのである。
【００１３】
また、前記トレーの外周に外枠を被せた状態で、トレーの蓋板を開いて、トレーの底壁を形成する底板を上方へ折り曲げることにより、扁平に折り畳めるようにしたのである。
【００１４】
また、前記外枠の上部に封緘片を設け、この封緘片を、トレーの蓋板を有する蓋部材に貼り付け、商品展示時に、蓋部材を封緘片と共に切り取るようにしたのである。
【発明の効果】
【００１５】
この包装展示兼用箱では、外枠の蓋受片の上にトレーの蓋板を被せているので、接着剤等でトレーと外枠とを固定しなくても、トレーが外枠の底面から抜け落ちることがなく、包装状態が確実に維持され、店頭では、トレーの蓋板を開いて、外枠をトレーから上方へ引き抜く出だけで、トレーに収納した商品を簡単に展示することができる。
【図面の簡単な説明】
【００１６】
【図１】この発明の実施形態に係る包装展示兼用箱の包装状態を示す背面斜視図
【図２】同上のトレーのブランクを示す図
【図３】同上の外枠のブランクを示す図
【図４】同上のトレー及び外枠の組立状態を示す分解背面斜視図
【図５】同上のトレーに外枠を被せた状態を示す正面斜視図
【図６】同上の折畳状態を示す斜視図
【図７】同上の組立後の包装状態から展示状態への開放過程を示す背面斜視図
【図８】同上のトレーからの外枠の引き抜き過程を示す背面斜視図
【図９】同上のトレーによる展示状態を示す正面斜視図
【図１０】従来の包装展示兼用箱のトレーと外枠の分解斜視図
【図１１】同上のトレーに外枠を被せた状態を示す斜視図
【図１２】同上の封緘状態を示す斜視図
【図１３】同上のトレーと外枠との分離過程を示す斜視図
【図１４】同上のトレーによる展示状態を示す斜視図
【発明を実施するための形態】
【００１７】
以下、この発明の実施形態を添付図面に基づいて説明する。図１に示す包装展示兼用箱は、商品を収納するトレー１と、その外周に被せる外枠２とから成る段ボール製のものであり、レトルト食品等の商品の包装に使用される。
【００１８】
図２に示すように、トレー１のブランクでは、一対の側壁１１が正面となる端壁１２を介して連設され、一方の側壁１１に背面となる端壁１３が連設されている。端壁１３は、後述する外枠２の端壁２３と同程度の高さとされ、側壁１１及び端壁１２は、端壁１３よりも低く、端壁１２の中間部は上方から大きく切り欠かれている。端壁１３の外端には、側壁１１の高さに対応する継代片１４が連設されている。
【００１９】
各側壁１１の下端には底板１５ａが、端壁１２，１３の下端には底板１５ｂがそれぞれ連設され、これらによりワンタッチ式の組立底が形成される。
【００２０】
端壁１３の上端には蓋板１６及び差込片１７が順次連設され、この蓋板１６及び差込片１７と端壁１３の上部に設けられた切取部１３ａとで蓋部材１８が形成されている。切取部１３ａは、端壁１３の上端から少し下方へ離れた水平直線の切目線１９ａと、その両端から斜め外側へ向かうジッパ型の切目線１９ｂとを入れて形成されている。
【００２１】
また、図３に示すように、外枠２のブランクでは、一対の側壁２１が正面となる端壁２２を介して連設され、一方の側壁２１に背面となる端壁２３が、他方の側壁２１に継代片２４がそれぞれ連設されている。また、これらの境界には、折目線と共に、トレー１への挿入や折り畳みを容易にするため、切目が入れられている。
【００２２】
各側壁２１の上端には蓋受片２５が連設され、その背面側となる端縁は、蓋板１６との干渉を回避するため、側壁２１の背面端より少し内側へずらされている。端壁２３の上部は切取部１３ａと同様の形状に切り欠かれ、その切欠部の中央部には封緘片２６が突設されている。封緘片２６の基端には、ミシン目状の切目線２７が入れられている。
【００２３】
上記のようなブランクを包装展示兼用箱とするため、図４に示すように、トレー１を組み立てるには、一対の側壁１１及び端壁１２，１３を角筒状に折り曲げ、継代片１４を反対側の側壁１１の内面に貼り付けて周壁を形成し、２組の底板１５ａ，１５ｂを内側へ折り曲げて１組ずつ貼り合わせ、底壁１５を形成する。
【００２４】
また、外枠２を組み立てるには、一対の側壁２１及び端壁２２，２３を角筒状に折り曲げ、継代片２４を端壁２３の外面に貼り付けて周壁を形成する。
【００２５】
そして、トレー１の外周に外枠２を上方から被せ、図５に示すように、トレー１の側壁１１及び端壁１２，１３の外面に、外枠２の側壁２１及び端壁２２，２３の内面がそれぞれ沿うようにし、封緘片２６を切取部１３ａに貼り付ける。
【００２６】
上記のような箱は、図６に示すように、トレー１の外周に外枠２を被せたまま、蓋板１６を開いた状態で、底板１５ａ，１５ｂを上方へ折り曲げて、扁平に折り畳むことができるので、嵩張らない状態で箱を使用する業者へ効率よく輸送することができる。
【００２７】
そして、業者が商品を箱詰めする際には、図５に示すように、トレー１と外枠２とを組み立てて、トレー１の底壁１５を水平状態とし、蓋板１６が開いた状態の天面から商品をトレー１に収納する。
【００２８】
このように、上記のような箱では、トレー１と外枠２とを同時にワンタッチで組み立てて、商品を箱詰めすることができるので、包装作業の省力化を図ることができる。
【００２９】
その後、図１に示すように、蓋受片２５を内側へ折り曲げ、その上に蓋板１６を被せて閉じ、差込片１７を端壁２２と蓋受片２５の間に差し込んで、差込片１７の両側基部の切込と蓋受片２５の側縁の凸部とを係合させる。また、必要に応じて、封緘テープを端壁２２から蓋板１６へかけて貼り付ける。
【００３０】
このような包装状態では、外枠２の蓋受片２５の上にトレー１の蓋板１６を被せているので、接着剤や粘着テープでトレー１と外枠２とを固定しなくても、持ち運び等に際し、トレー１が外枠２の底面から抜け落ちることがなく、包装状態が確実に維持される。
【００３１】
一方、このように商品を包装した箱を小売店へ配送し、店頭で商品を展示する際には、図７に示すように、封緘片２６を押すことにより、切目線２７，１９ｂを切断して、蓋部材１８を封緘片２６と共に切り取り、蓋板１６を開き、差込片１７を端壁２２と蓋受片２５の間から引き抜き、蓋部材１８を除去する。
【００３２】
なお、封緘テープを端壁２２から蓋板１６へかけて貼り付けた場合や、差込片１７と蓋受片２５の係合を解除しにくい場合には、差込片１７を端壁２２と蓋受片２５の間に差し込んだままの状態としてもよい。
【００３３】
そして、図８に示すように、トレー１から外枠２を上方へ抜き取ると、図９に示すように、天面から正面にかけて開放されたトレー１により、商品Ｇを買物客から見えやすいように展示することができる。
【００３４】
このように、上記包装展示兼用箱では、店頭において、トレー１と外枠２の分離に手間取ることなく、外枠２をトレー１から上方へ抜き取って、トレー１に載せた商品Ｇを簡単に展示することができる。
【００３５】
なお、上記実施形態では、端壁１３に切取部１３ａを設け、これに封緘片２６を貼り付けるものを例示したが、蓋板１６の基部に切取部１３ａを設け、この切取部１３ａに、切欠をなくした端壁２３の上端から延びる封緘片２６を切目線２７に沿って折り曲げて貼り付けるようにしてもよい。
【００３６】
また、開封性及び防犯性向上の機能が必要なければ、封緘片２６や切取部１３ａを省略し、差込片１７を端壁２２と蓋受片２５の間から引き抜いて、背面側をヒンジとして蓋板１６を開くようにしてもよい。
【００３７】
また、一対の側壁２１の上端に蓋受片２５を連設したものを例示したが、端壁２２の上端に蓋受片２５を連設し、蓋板１６の両側に差込片１７を連設するようにしてもよい。
【００３８】
さらに、トレー１及び外枠２の周壁が四角筒状となったものを例示したが、これらの周壁が六角筒状や八角筒状等となるようにしてもよい。
【符号の説明】
【００３９】
１  トレー
１１  側壁
１２，１３  端壁
１３ａ  切取部
１４  継代片
１５  底壁
１５ａ，１５ｂ  底板
１６  蓋板
１７  差込片
１８  蓋部材
１９ａ，１９ｂ  切目線
２  外枠
２１  側壁
２２，２３  端壁
２４  継代片
２５  蓋受片
２６  封緘片
２７  切目線
【図１】
2012017127.tif 000003
【図２】
2012017127.tif 000004
【図３】
2012017127.tif 000005
【図４】
2012017127.tif 000006
【図５】
2012017127.tif 000007
【図６】
2012017127.tif 000008
【図７】
2012017127.tif 000009
【図８】
2012017127.tif 000010
【図９】
2012017127.tif 000011
【図１０】
2012017127.tif 000012
【図１１】
2012017127.tif 000013
【図１２】
2012017127.tif 000014
【図１３】
2012017127.tif 000015
【図１４】
2012017127.tif 000016